(57)【要約】  拡張可能カバン製品が、拡張可能主区画室および拡張可能外ポケットを含む複数の拡張能力を含む。カバン製品は、更に、カバン製品内で衣服をより良く保持しかつ付加的収納ポケットを提供するために一対の紐状下パネルを含む。ワイヤまたは木製衣服ハンガーに役立ち、かつ不本意なハンガーの離脱を回避するためにハーネスを含む低断面形衣服ハンガーブラケットが提供される。
2008523966.tif 000002
【特許請求の範囲】
【請求項１】
少なくとも一つの衣服ハンガーを保持するためにカバン製品のパネルに取付けられている衣服ハンガーブラケットを含むカバン製品であって、衣服ハンガーブラケットが、
実質的フラット周辺境界領域および起立中央領域を有するベース部材、
前記ベース部材の起立中央領域上の少なくとも一つのフック部材、および
前記ベース部材上のハーネス特質部と共働するハーネス部材を含み、
前記フック部材は、前記ベース部材に概ね垂直の第一部へ延在し、かつ湾曲して前記ベース部材から離隔して前記ベース部材に沿って第二部へ延在し、かつ前記ベース部材から離隔した自由端で終端し、かつ
前記ベース部材は、周辺境界領域を介して縫合することによりカバン製品のパネルに取付けられている、カバン製品。
【請求項２】
各フック部材の第一部の長さは、フック部材の第二部と前記ベース部材間の間隔が単一衣服ハンガーのフック端の厚みよりも僅かに大きいだけであり、それにより前記衣服ハンガーブラケットが低断面形態になっている、請求項１のカバン製品。
【請求項３】
前記衣服ハンガーブラケットは、少なくとも一つのフック部材の第二部と対向する前記ベース部材の中央領域により担持された弾性戻り止め部材を更に含み、前記弾性戻り止め部材は、前記ベース部材から前記フック部材の第二部へ向かって外方へ湾曲して、前記弾性戻り止め部材と前記フック部材の第二部とが作動して衣服ハンガーのフック端をその間に捕捉する、請求項２のカバン製品。
【請求項４】
前記衣服ハンガーブラケットは一片のプラスチック構成要素である、請求項３の衣服ハンガーブラケット。
【請求項５】
前記衣服ハンガーブラケットは同一対の前記フック部材を含む、請求項４のカバン製品。
【請求項６】
少なくとも一つのフック部材の第二部の長さは、フック部材の第二部と前記ベース部材間の空間でフック部材の第二部の長手方向に相互に積み重ねた二つまたはそれ以上のコートハンガーフック端を受けるのに十分である、請求項４のカバン製品。
【請求項７】
前記フック部材の第二部は、前記フック部材の第二部と前記ベース部材間の空間への衣服ハンガーのフック端の挿入を促進するために、前記フック部材の第一部から前記ベース部材に向かって僅かに傾斜しかつ前記ベース部材から離れる自由端で湾曲している、請求項１のカバン製品。
【請求項８】
ハーネス部材が、前記カバン製品のパネルにその上部へ縫合することによって取付けられた可撓性部材を含む、請求項１のカバン製品。
【請求項９】
前記ハーネス部材は、前記カバン製品のパネルにその上部へ縫合することによって取付けられた可撓性部材を含む、請求項４のカバン製品。
【請求項１０】
前記ハーネス部材は、前記カバン製品のパネルにその上部へ縫合することによって取付けられた可撓性部材を含む、請求項７のカバン製品。
【請求項１１】
前記ハーネス部材は、前記ベース部材に枢軸回転自在に取付けられている、請求項１のカバン製品。
【請求項１２】
前記ハーネス部材は、前記ベース部材に枢軸回転自在に取付けられている、請求項４のカバン製品。
【請求項１３】
前記ハーネス部材は、前記ベース部材に枢軸回転自在に取付けられている、請求項７のカバン製品。
【請求項１４】
ハーネス部材は、前記ハーネス部材がハーネス特質部と共働するときに、少なくとも一つの衣服ハンガーが離脱することを阻止できる突起を更に含む、請求項１１のカバン製品。
【請求項１５】
前記ハーネス部材は、前記ハーネス部材がハーネス特質部と共働するときに、少なくとも一つの衣服ハンガーが離脱することを阻止できる突起を更に含む、請求項１２のカバン製品。
【請求項１６】
前記ハーネス部材は、前記ハーネス部材がハーネス特質部と共働するときに、少なくとも一つの衣服ハンガーが離脱することを阻止できる突起を更に含む、請求項１３のカバン製品。
【発明の詳細な説明】
【技術分野】
【０００１】
本発明は、カバン、特に旅行カバン、そして特にワイヤまたは木製（スーツ）ハンガーを保持することのできる低断面形衣服ハンガーブラケットを有するカバンに関する。
【背景技術】
【０００２】
ハンガー上に担持された衣服、例えばスーツまたはドレスを保持するために設計された種々のブラケットを提供することはカバン製品において既知である。しかしながら、かかる従来ブラケットは、特に小さい、軽量牽引またはキャリオンバッグに全体的に満足できるものでない。従来ブラケットは過度に大きくかつでしゃばっている、または例えば木製スーツハンガー等の、ある種の一般的に使用されているハンガーに適さない、または特別設計のハンガーの使用を必要とする傾向がある。従来ブラケットは、カバン製品に吊るすために、例えばクローゼット内の従来ハンガーから衣服を他のまたは特別のハンガーへ移動することを必要とすることがある。Tumi,Inc.に対して２００３年７月２２日に発行されたＵＳ特許６５９５３５４号は従来技術の上述の欠点を克服している。この特許の開示は全体がここに参考として組み込まれる。しかし、ハンガーの不本意な外れを解消するためのハーネスを示唆または開示していない。
【０００３】
従って、ハンガーの不本意な離脱を解消する、カバン製品として軽量、コンパクト、万能衣服ハンガーブラケットに対するニーズが存在する。
【発明の開示】
【０００４】
［発明の概要］
【０００５】
本発明の課題は、ブラケットが一般的に利用可能なワイヤまたは木製ハンガーに有用であり、クローゼットから衣服を直接詰め込むことができる、即ち衣服を他のハンガーへ移動する必要なくパックでき、かつハンガーの不本意な脱出を回避するためにハーネスを有する、カバン製品用の低断面形衣服ハンガーブラケットを提供することを課題とする。
【０００６】
本発明の上述および他の課題は、カバン製品の壁パネルまたは壁部材に固定されたベース部材を有し、かつ少なくとも一つ、好ましくは二つのフック部材を含むハンガーブラケットを提供することにより達成される。前記フック部材は前記ベース部材から概ね垂直に延在し、続いて湾曲し、前記ベース部材から離隔して（前記ベース部材に沿って第二部へ）延在し、そして自由端で終端する。前記ベース部材と前記フック部材の対向部と間の間隔は、単一衣服ハンガー、即ちコートハンガーのフック部が、前記フック部材と前記ベース部材間にフイットするような間隔であることが好ましい。この構成は、衣服ハンガーブラケットに有利な低フラット断面形態を提供する。他方、前記ベース部材に沿った方向の前記フック部材の第二部、もくしは第二フック部、の長さは、積み重ねた状態で二つまたはそれ以上の衣服ハンガーを保持するのに十分であってよい。
【０００７】
衣服ハンガーブラケット内のコートハンガーを捕捉するために対向フック部と共働する弾性戻り止め部材が、前記ベース部材上に設けられている。各フック部の自由端は、第二フック部と前記ベース部材間の空間への衣服ハンガーの挿入を促進するために、前記ベース部材から離れる方向へ伸長していることが好ましい。
【０００８】
ハーネス部材が、移動中のフック部材から衣服ハンガーが不本意に自由にならないように衣服ハンガーを確保するために設けられてよい。
【０００９】
経済性および製造容易性のために、衣服ハンガーブラケットは好適には一片の成形プラスチック構成要素である。
【発明を実施するための最良の形態】
【００１０】
本発明およびその利点の理解を更に完全にするために、添付図面を参照して例示実施形態を次に説明する。
【００１１】
図１に示されたカバンは二つの構成要素フレームを有し、この二つのフレームは、その部品の材料、組立方法、および形態に関して適宜に構成されてよい。主フレーム１０は一対の対向する矩形平面側壁パネル１２（一つだけが示されている）および一対の対向壁部材１４（一つだけが示されている）を有し、これらは実質的剛性でありかつコーナで頑固に連結されている。対向壁部材は、ここでは上下部材と呼ぶ。上下部材は、カバン使用時には直角配向になる。図面は部材１４をパネルで表現しているが、市販の一般的旅行カバンは、牽引可能でありホイール付きである。かかるカバン製品の実施において、主フレームの下部材および上部材はホイール１６、牽引ハンドル（図示せず）、一つまたはそれ以上の運搬ハンドル１８等が取付け可能に構成される。主フレーム構成要素１０は、部分的または全体的に剛性の裏壁パネルを有してよい。第二フレーム構成要素２０は、対向の矩形平面パネル２２および上下部材２４で形成され、実際には、シート材による矩形平面パネルが一般的である。
【００１２】
主フレーム構成要素１０は、耐久性のある布帛によるカバー２６を受ける。第二フレームの側、上下は布帛カバー２８を受ける。カバン製品の内部へのアクセスは、前開口から可能であり、前開口はパネル３０により閉鎖され、パネル３０は側縁３２でカバー２８に連結され三側に沿ってジッパー３４を降下上昇により開閉してよい。
【００１３】
カバン製品の主部（主フレーム１０とそのカバー２６）は、カバン製品の全周に（上下および両側壁に沿って）延在する耐久性のある可撓性材料によるマチ３６により第二部（第二フレーム２０およびカバー２８，３０）に連結されている。カバン製品の拡張状態において、マチ３６は主区画室の全周を結合し、このマチによりカバン製品の容積または体積は主ユニットから第二ユニットへ拡げることにより拡大する。カバン製品の収縮（相対的に小さい容積または体積）状態（図示せず）において、主フレーム構成要素１０および第二フレーム２０の相互に隣接する端上の対の半割部３８ａ，３８ｂを有するジッパーが、カバン製品の全周に延在し、引き上げることにより閉鎖される。マチ３６は、カバン製品の収縮状態でカバン製品の内部へ折り畳まれる。
【００１４】
同一出願人によるＵＳ特許６２２０４１１Ｂ１号に開示されたように、主フレーム構成要素１０は、第二フレーム構成要素２０へ二つの同一ブリッジ組立体（図示せず）により連結され、その一方は側パネル１２および２２に連結され、かつ他方は対向側部材（図示せず）に連結される。ブリッジ組立体は、主ユニットに対する第二ユニットの上下運動、側−側移動、回転傾斜運動、側−側および前後コック運動を阻止することによりカバン製品の形状を安定化させる。かかるブリッジ組立体は、所望により図１の実施形態へ組み込まれてよい。選択的に、特にブリッジ組立体が必要とされない安定性が確保されたカバン製品の場合には、ブリッジ組立体は省略できる。
【００１５】
図１に示されたように、一つまたはそれ以上の外ポケット４０，４２が前パネル３０の前側に形成されてよい。ジッパー４４，４６が外ポケットの開閉のために設けられてよい。
【００１６】
下ポケット４２は、下壁および側壁内に第一マチ３６に使用したような同一タイプの適宜可撓性材料による第二マチ４８を含む。下ポケット４２の縁はマチ４８に隣接し、ジッパーの対の半割部５０ａ，５０ｂを担持し、このジッパーはマチ４８の全長にわたって周辺に延在する。理解されるように、前ポケット４２は、ジッパー５０が引き上げられるときに収縮状態になり、かつジッパー５０が引き下ろされるときに拡張状態になる。従って、第二段階の拡張はカバン製品内に形成され、他の旅程の要件にカバン製品を適合させる柔軟性を提供する。
【００１７】
図１では前ポケット４２の三側のみで拡張しているが、第一マチ３６と同様に、マチ４８は前ポケットの全周まわりに連続的に延在してよい。同様に、所望により、拡張マチが前ポケット４０に設けられてよく、それにより収納スペースを増加できる。
【００１８】
上記複数の拡張特質部はTumi, Inc.に対して２００３年７月１５日に発行されたMultiple Expansion Luggage Itemの名称に係るＵＳ特許６５９１９５０号の主題である。
【００１９】
カバン製品の、特に拡張状態において、安定を促進するために、カバン製品の前脚５２は第二フレーム構成要素２０の下壁上に取付けられる。従って、主区画室が拡張するときに、前脚５２は第二フレーム構成要素と共に前進移動する。
【００２０】
図２は前パネル３０を開いて折り畳んだ状態のカバン製品の単純化した前面図を示す。一対の紐状下パネル５４ａ，５４ｂが、第二フレーム構成要素２０の対向壁部材２４のそれぞれに取付けられている。紐状下パネル５４ａ，５４ｂは、所定場所で衣服をより良く保持する耐久機能を提供し（従来の紐状下ストラップとの比較で）、かつ最後の品物等に対して便利な収納部を提供する。
【００２１】
紐状下パネル５４ａ，５４ｂは、従って、第二フレーム構成要素の対向壁パネル２２間の距離の少なくとも半分、または好ましくは略全部、かつ対向壁部材２４間の距離の少なくとも１／４、好ましくは少なくとも１／３にわたって延在する。紐状下パネル５４ａ，５４ｂは、クイック解除バックル５６（または他の従来連結紐または機構）により相互に対して取外し可能に取付けられる。解除バックルの対の半割部材は、適宜方法、例えばストラップ５８ａ，５８ｂにより、個別パネルに連結され、その幅に沿って離隔点で個別パネルの対面端に取付けられる。紐状下パネル５４ａ，５４ｂの相対的に幅広い範囲は移動時に衣服を所定場所に確実に保持する。
【００２２】
更に、紐状下パネル５４ａ，５４ｂの少なくとも一方、または好ましくは両方が付加的収納部を提供するためのポケット６０ａ，６０ｂを含む。ジッパー６２ａ，６２ｂが安全確保のために設けられてよい。便宜上、一つのポケットまたは二つのポケット６０ａ，６０ｂは、好適には、ポケット内の収納物の観察の便宜からシースルーメッシュで形成される。
【００２３】
紐状下パネル５４ａ，５４ｂは、好適には第二フレーム構成要素２０に連結され、カバン製品が拡張するときに、そのパネルがフレーム２０と共に移動し主区画室の拡張した容積上に重なる。
【００２４】
上述のごとく、紐状下パネル５４ａ，５４ｂは、所望により、拡張しないカバン製品に設けられてよい。この場合、紐状下パネル５４ａ，５４ｂは、例えば図１の対向壁部材２４に対応する、カバン製品の固定フレーム部材に連結できる。
【００２５】
上述の耐久機能紐状下パネル特質部は、現在放棄されているが、Luggage With Tie-Down Pocketsの名称に係る２００２年４月３日に本出願人により出願されたＵＳ特許出願１０／１１５３８５号の主題である。
【００２６】
図２に示されたように、本発明によれば、衣服ハンガーブラケット６４は、第二フレーム構成要素のパネル２２に連結された側に近い前パネル３０の後側に取付けられている。衣服ハンガーブラケット６４の構造は、図３および４に詳細に示されている。
【００２７】
衣服ハンガーブラケット６４は、好適には、単一片のプラスチック構成要素として形成され、周辺境界領域６８および起立中央領域７０を有する概ね矩形のベース部材６６を含む。中央領域の縁７０ａ，７０ｂは好適には面取りされている。このブラケット６４は、適宜方法、例えば周辺境界領域６８へ縫合により、前パネル３０に固定されてよい。
【００２８】
少なくとも一つ、好適には二つの衣服ハンガーフック７４がベース部材６６の中央領域７０により担持される。図４に示されたように、各フック７４は、ベース部材６６に対して概ね垂直に延び、かつ第二部７４ｂへ湾曲し、第二部７４ｂはベース部材から離隔してベース部材に沿って延び、そしてベース部材から離れる方向へ湾曲して自由端７４ｃで終端する。
【００２９】
第二部７４ｂとベース部材間の間隔は、好適には、単一衣服ハンガーの厚みよりもほんの僅かに大きい。これは、ブラケット６４を空間節約に有利な低断面形態にする。弾性戻り止め部材７６が、第二フック部７４ｂに対向してベース部材上に設けられている。戻り止め部材７６および対向フック部７４ｂは両者間に衣服ハンガーを捕捉するように構成される。その目的から、第二フック部７４ｂは、ベース部材６６に向かって僅かに傾斜しいていてよい。
【００３０】
ベース部材に沿って第二フック部７４ｂの長さは、好適には、第二フック部７４ｂの長手方向に二つまたはそれ以上の衣服ハンガーを相互に積み重ねて収容するのに十分なものである。選択的に、各フック７４の自由端７４ｃ（図３で示し、図５に示されていない）は、第二フック部７４ｂとベース部材６６間の空間への服ハンガーのフック端の挿入を促進するためにベース部材から離れる方向へ湾曲してよい。この衣服ハンガーブラケットは、ワイヤまたは木製ハンガーのいずれにも有用であり、それにより衣服、例えばドレスまたはスーツのクローゼットからの直接的詰め込みを可能にする。
【００３１】
図３から５を参照すると、ハーネス部材９０と係合することを目的とするハーネス特質部８０がベース部材上に設けられていて、衣服ハンガーが移動時に衣服ハンガーフック７４から不本意に脱出しないようにする。ハーネス部材９０は、好ましくは、可撓性部材であり、上部９２へ縫合によりカバン製品のパネルに取付けられる。選択的に、ハーネス部材９０は、上部９２に接着されてよい。ハーネス部材９０は、熱可塑性エラストマー等の材料から加工されてよい。ハーネス部材９０を係合させるために、使用者は、下部９４を引っ張り、開口領域９６を衣服ハンガーフック７４上へ伸張し、そのようにして下部のある領域をハーネス特質部８０と係合させて、ハーネス部材９０を適正場所に保持する。図６は、係合位置のハーネス部材を示す。可撓性ハーネス部材９０は、カバン製品および／または衣服ハンガーブラケットの残部への容易縫合を可能にする。同様に、可撓性ハーネス部材９０は、使用を容易にし、ハンガーの緊密適合を可能にし、かつ薄く、軽量にし、更に耐久性および容易交換を可能にする。
【００３２】
図７に示された他の実施形態において、ハーネス部材９０ａは蝶番１００を介してベース部材６６に枢軸回転可能に連結される。ハーネス部材９０ａは、ベース部材６６のハーネス特質部８０ａと係合する設計のフック特質部１０２を含む。ハーネス部材９１ａは、更に、衣服ハンガーフックが戻り止め部材７６を摺動通過することを阻止することを支援する突起１０４を含む。図８は、係合位置のハーネス部材９０ａを示す。
【００３３】
図１および２に示されたカバン製品において、衣服ハンガーブラケット６４は、図２に示されたように有利に位置決めされ、折り畳みにより好適なセクションに隣接するであろう（図示せず）。衣服ハンガーブラケットは、選択的に、カバン製品の寸法および形状に依存してカバン製品内の他の位置に位置決めされ得る。本発明によれば、衣服ハンガーブラケット６４は、上述の拡張性および紐状下パネル特質と独立に、カバン製品に有用である。
【００３４】
本発明を特定実施形態を参照して説明したが、理解されるように、かかる実施形態は開示された本発明の概念から逸脱することなく改良および変更が可能である。かかる改良および変更は特許請求の範囲に記載の発明の主旨および範囲に包含されることが意図されている。
【図面の簡単な説明】
【００３５】
【図１】一部剥離したカバン製品の概ね３／４の概略前面図である。
【図２】前パネルを開いて後ろへ折り曲げた状態のカバン製品の前面図である。
【図３】本発明による衣服ハンガーブラケットの一実施形態の平面図である。
【図４】図３の衣服ハンガーブラケットの側面図である。
【図５】図３の衣服ハンガーブラケット、並設したハーネス部材を示す、衣服ハンガーブラケットのフックの自由端からの選択的湾曲は示されていない。
【図６】図５の衣服ハンガーブラケットとハーネス部材との組立図である。
【図７】本発明による衣服ハンガーブラケットの第二実施形態の側面図である。
【図８】衣服ハンガーブラケットに係合したハーネス部材を示す図７の組立図である。
【図１】
2008523966.tif 000003
【図２】
2008523966.tif 000004
【図３】
2008523966.tif 000005
【図４】
2008523966.tif 000006
【図５】
2008523966.tif 000007
【図６】
2008523966.tif 000008
【図７】
2008523966.tif 000009
【図８】
2008523966.tif 000010
【国際調査報告】
2008523966.tif 000011